(57)【特許請求の範囲】
【請求項１】
それぞれタッチパネル機能を有する２つの表示部と、
上記２つの表示部の一方の表示部へのタッチ操作を検知する第１のタッチ検知手段と、
上記２つの表示部の他方の表示部へのタッチ操作を検知する第２のタッチ検知手段と、
上記第１及び第２のタッチ検知手段で検知する上記２つの表示部へのタッチ操作に応じた表示機能を実行する表示機能を実行する表示制御手段と、
を具備し、
上記表示制御手段は、上記第１のタッチ検知手段で上記一方の表示部へのタッチ操作を検知し、且つ上記第２のタッチ検知手段により上記他方の表示部で表示中の文字列方向のタッチ操作を検知した場合に、上記他方の表示部でタッチ操作された位置の表示内容に含まれる語を見出しとして辞書記憶手段を検索し、見出し語の説明情報を上記他方の表示部に表示し、
上記表示制御手段により上記他方の表示部に見出し語の説明情報が表示された状態で、上記第１のタッチ検知手段によるタッチ操作が検知されなくなったことを検知する説明表示時タッチ検知手段と、
前記説明表示時タッチ検知手段により、上記第１のタッチ検知手段によるタッチ操作が検知されなくなったことが検知された場合に上記他方の表示部に表示された見出し語の説明情報を消す説明情報消去表示手段と、
とを具備する、
ことを特徴とする情報表示装置。
【請求項２】
上記説明情報消去表示手段は、前記説明表示時タッチ検知手段により、上記第１のタッチ検知手段によるタッチ操作が検知されなくなったことが検知された場合に上記他方の表示部に表示された見出し語の説明情報を消して、上記一方の表示部に前記見出し語の説明情報を表示させる説明情報切替表示手段を具備する、
ことを特徴とする請求項１記載の情報表示装置。
【請求項３】
上記表示制御手段は、上記第１のタッチ検知手段で上記一方の表示部内の予め設定した第１領域へのタッチ操作を検知し、且つ上記第２のタッチ検知手段により上記他方の表示部で表示中の文字列方向のタッチ操作を検知した場合に、上記他方の表示部でタッチ操作された位置の表示内容に含まれる語を見出しとして辞書記憶手段を検索し、見出し語の説明情報を上記他方の表示部にウィンドウ表示し、
前記説明情報消去表示手段は、前記説明表示時タッチ検知手段により、上記第１のタッチ検知手段によるタッチ操作が検知されなくなったことが検知された場合に上記他方の表示部にウィンドウ表示された見出し語の説明情報を消す、
ことを特徴とする請求項１又は２記載の情報表示装置。
【請求項４】
上記表示制御手段は、上記第１のタッチ検知手段で上記一方の表示部内の予め設定した第１領域へのタッチ操作を検知し、且つ上記第２のタッチ検知手段により上記他方の表示部で表示中の文字列方向と略直交する方向のタッチ操作を検知した場合に、上記他方の表示部での表示内容を上記第２のタッチ検知手段で検知した方向にページ切替させる、
ことを特徴とする請求項３に記載の情報表示装置。
【請求項５】
上記表示制御手段は、上記第１のタッチ検知手段で上記一方の表示部内の予め設定した第２領域へのタッチ操作を検知し、且つ上記第２のタッチ検知手段により上記他方の表示部で表示中の文字列方向と略直交する方向のタッチ操作を検知した場合に、上記他方の表示部での表示内容を上記第２のタッチ検知手段で検知した方向にスクロールさせることを特徴とする請求項３又は４に記載の情報表示装置。
【請求項６】
ドキュメントデータを記憶するドキュメント記憶手段と、
上記第１のタッチ検知手段で上記一方の表示部内の予め設定した第３領域へのタッチ操作を検知し、且つ上記第２のタッチ検知手段により上記他方の表示部で表示中のドキュメントデータ中の任意位置へのタッチ操作を検知した場合に、上記ドキュメントデータ中のタッチ操作された位置に対応する位置情報を記憶する位置記憶手段と、
をさらに具備したことを特徴とする請求項３〜５のいずれか１項に記載の情報表示装置。
【請求項７】
それぞれタッチパネル機能を有する２つの表示部を備えた装置が内蔵するコンピュータが実行するプログラムであって、当該コンピュータを、
上記２つの表示部の一方の表示部へのタッチ操作を検知する第１のタッチ検知手段、
上記２つの表示部の他方の表示部へのタッチ操作を検知する第２のタッチ検知手段、
上記第１及び第２のタッチ検知手段で検知する上記２つの表示部へのタッチ操作に応じた表示機能を実行する表示機能を実行する表示制御手段、
として機能させ、
上記表示制御手段は、上記第１のタッチ検知手段で上記一方の表示部へのタッチ操作を検知し、且つ上記第２のタッチ検知手段により上記他方の表示部で表示中の文字列方向のタッチ操作を検知した場合に、上記他方の表示部でタッチ操作された位置の表示内容に含まれる語を見出しとして辞書記憶手段を検索し、見出し語の説明情報を上記他方の表示部に表示し、
当該コンピュータをさらに、
上記表示制御手段により上記他方の表示部に見出し語の説明情報が表示された状態で、上記第１のタッチ検知手段によるタッチ操作が検知されなくなったことを検知する説明表示時タッチ検知手段、
前記説明表示時タッチ検知手段により、上記第１のタッチ検知手段によるタッチ操作が検知されなくなったことが検知された場合に上記他方の表示部に表示された見出し語の説明情報を消す説明情報消去表示手段、
として機能させることを特徴とするプログラム。
【発明の詳細な説明】
【技術分野】
【０００１】
本発明は、折りたたみ式の電子手帳や電子ブック装置等に好適な情報表示装置及びプログラムに関する。
【背景技術】
【０００２】
従来、複数の表示画面を隣接配置して全体の表示サイズを大きくした表示装置で、それぞれの表示画面に設けたタッチパネルを利用して表示画像の拡大と縮小の操作を簡易化するようにした技術が考えられている。（例えば、特許文献１）
【先行技術文献】
【特許文献】
【０００３】
【特許文献１】特開２００７−２４０９６４号公報
【発明の概要】
【発明が解決しようとする課題】
【０００４】
上記特許文献に記載された技術では、２つの表示画面を同時にタッチ操作することで表示画像の拡大と縮小とを直感的な操作で指示できる一方で、拡大と縮小以外の操作に関しては考えられておらず、その他の有効な操作が模索されている。
【０００５】
またこの種の装置は、例えば電車内で立っているユーザが片手でつり革を掴みながら使用されることも考えられる。そのため、装置筐体の構造を堅牢なものとすることも必要であるが、装置を不用意に取り落とすような事態を招く可能性をでき得る限り低減させるような操作体系とすることが求められている。
【０００６】
本発明は上記のような実情に鑑みてなされたもので、その目的とするところは、タッチ操作が可能な２つの画面を有する装置のユーザの使い勝手を向上してより直感的で多様な操作方法を実現することが可能な情報表示装置及びプログラムを提供することにある。
【課題を解決するための手段】
【０００７】
本発明の一態様は、それぞれタッチパネル機能を有する２つの表示部と、上記２つの表示部の一方の表示部へのタッチ操作を検知する第１のタッチ検知手段と、上記２つの表示部の他方の表示部へのタッチ操作を検知する第２のタッチ検知手段と、上記第１及び第２のタッチ検知手段で検知する上記２つの表示部へのタッチ操作に応じた表示機能を実行する表示機能を実行する表示制御手段と、を具備し、上記表示制御手段は、上記第１のタッチ検知手段で上記一方の表示部へのタッチ操作を検知し、且つ上記第２のタッチ検知手段により上記他方の表示部で表示中の文字列方向のタッチ操作を検知した場合に、上記他方の表示部でタッチ操作された位置の表示内容に含まれる語を見出しとして辞書記憶手段を検索し、見出し語の説明情報を上記他方の表示部に表示し、上記表示制御手段により上記他方の表示部に見出し語の説明情報が表示された状態で、上記第１のタッチ検知手段によるタッチ操作が検知されなくなったことを検知する説明表示時タッチ検知手段と、前記説明表示時タッチ検知手段により、上記第１のタッチ検知手段によるタッチ操作が検知されなくなったことが検知された場合に上記他方の表示部に表示された見出し語の説明情報を消す説明情報消去表示手段と、を具備したことを特徴とする。
【発明の効果】
【０００８】
本発明によれば、タッチ操作が可能な２つの画面を有する装置のユーザの使い勝手を向上してより直感的で多様な操作方法を実現することが可能となる。
【図面の簡単な説明】
【０００９】
【図１】本発明の一実施形態に係る電子辞書装置の外観構成を示す正面図
【図２】同実施形態に係る電子回路の構成を示すブロック図。
【図３】同実施形態に係るサブ画面とメイン画面へのタッチ操作に対する処理を示すフローチャート。
【図４】同実施形態に係るサブ画面とメイン画面へのタッチ操作に対する処理を示すフローチャート。
【図５】同実施形態に係る電子辞書装置の基本的な（横持ちの）保持方法を示す図。
【図６】同実施形態に係る電子辞書装置の基本的な（縦持ちの）保持方法を示す図。
【図７】同実施形態に係る一動作例として画像スクロール時とページ切換え時の操作状態を示す図。
【図８】同実施形態に係る一動作例として辞書検索時としおり登録時の操作状態を示す図。
【図９】同実施形態に係る一動作例として画像の拡大／縮小表示時の操作状態を示す図。
【図１０】同実施形態に係る一動作例として画像の回転表示時の操作状態を示す図。
【図１１】同実施形態に係る他の動作例として手書き文字認識を行なう場合の操作状態を示す図。
【図１２】同実施形態に係る他の動作例として音声再生を行なう場合の操作状態を示す図。
【発明を実施するための形態】
【００１０】
以下本発明を電子辞書装置に適用した場合の一実施形態について図面を参照して説明する。  
図１は、同実施形態に係る電子辞書装置１０の外観構成を示す正面図である。  
この電子辞書装置１０は、以下に説明する電子辞書専用の携帯機器として構成か、あるいは辞書機能を備えたＰＤＡ（Ｐｅｒｓｏｎａｌ  Ｄｉｇｉｔａｌ  Ａｓｓｉｓｔａｎｔｓ：個人向け情報携帯端末）、パーソナルコンピュータ、携帯電話端末、電子ブック、携帯ゲーム機等として構成される。
【００１１】
この電子辞書装置１０は、その本体ケース１１と蓋体ケース１２とがヒンジ部１３を介して展開／閉塞可能な折り畳み型ケースを備えて構成される。図１は展開した状態を示す。この折り畳み型ケースを展開した本体ケース１１の表面には、文字入力キー１４ａ、辞書指定キー１４ｂその他、［訳／決定］キー、［戻る／リスト］キー、カーソル（↑，↓，←，→）キー、［ジャンプ］キー、スピーカ１５などを備えたキー入力部（キーボード）１４、および手書き入力部（サブ画面）１６が備えられる。
【００１２】
この手書き入力部（サブ画面）１６は、ユーザがスタイラスペンや手指等でタッチした位置を検出するタッチ位置検出部と表示部が一体となった構造であり、キー入力部１４の中央手前側において例えば２５６×６４ドットのカラー液晶表示画面１６ｄに透明タッチパネル１６ｔを重ねて構成される。
【００１３】
この手書き入力部（サブ画面）１６の領域は、必要に応じて、手書き文字を入力するための手書き文字（漢字）入力領域や各種機能のアイコン入力領域など、当該各領域を必要に応じて切り替える。
【００１４】
そして、上記手書き入力部（サブ画面）１６が手書き文字入力領域に切り替えられた状態での手書き入力に伴う軌跡はそのカラー液晶表示画面１６ｄにエコーバックして表示される。
【００１５】
また蓋体ケース１２の表面には、そのほぼ全面を対象に例えば４８０×３２０ドットのバックライト付きのタッチパネル式カラー表示部（メイン画面）１７が設けられる。このタッチパネル式カラー表示部（メイン画面）１７も、上記手書き入力部（サブ画面）１６と同様に、ユーザがスタイラスペンや手指等でタッチした位置を検出するタッチ位置検出装置と表示装置が一体となった構造であり、カラー液晶表示画面１７ｄに透明タッチパネル１７ｔを重ねて構成される。
【００１６】
そして、上記タッチパネル式カラー表示部（メイン画面）１７の右端には、上記キー入力部１４における一部のキーの押下操作をタッチ操作により行なうための、キー表記（例えば［訳／決定］キーや［戻る／リスト］キー、［ジャンプ］キー）が固定印刷されたタッチキーエリア１７Ａが設けられる。
【００１７】
また、上記タッチパネル式カラー表示部（メイン画面）１７の左端には、動作モードに応じて実行可能な機能をタッチ操作により指定するための、各種のアイコンが表示タッチアイコンエリア１７Ｂが設けられる。
【００１８】
図２は、上記電子辞書装置１０の本体ケース１１及び蓋体ケース１２内に備えられる電子回路の構成を示すブロック図である。
【００１９】
この電子辞書装置１０は、各種の記憶媒体に記録されたプログラム、または伝送されたプログラムを読出して、その読出したプログラムによって動作が制御コンピュータによって構成され、その電子回路にはＣＰＵ２１が備えられる。
【００２０】
ＣＰＵ２１は、システムバスＳＢを介してプログラムメモリ（フラッシュメモリ）２２と接続される。ＣＰＵ２１は、プログラムメモリ２２内に予め記憶された装置制御プログラム、あるいはメモリカード２３からメモリカードコントローラ２４を介して上記プログラムメモリ２２に記憶した装置制御プログラム、あるいはインターネットＮ上のＷｅｂサーバ（この場合はプログラムサーバ）３０から通信制御部２５を介して上記プログラムメモリ２２に記憶した装置制御プログラムに応じて、ＳＲＡＭで構成されるワークメモリ２６をメインメモリとして回路各部の動作を制御する。
【００２１】
上記プログラムメモリ２２に記憶された装置制御用のプログラムは、上記キー入力部１４からのユーザ操作に応じた入力信号、あるいは通信制御部２５を介して接続されたインターネットＮ上の各Ｗｅｂサーバ３０…との通信信号、あるいはメモリカードコントローラ２４を介して接続されたメモリカード２３との接続通信信号に応じて起動される。
【００２２】
上記ＣＰＵ２１には、システムバスＳＢを介して上記プログラムメモリ２２、メモリカードコントローラ２４、通信制御部２５、ワークメモリ２６、及びキー入力部１４が接続される他に、上記カラー液晶表示画面１６ｄ、透明タッチパネル１６ｔ、カラー液晶表示画面１７ｄ、透明タッチパネル１７ｔ、３軸加速度センサ２７、開閉スイッチ２８、及び音声合成部２９が接続される。
【００２３】
上記プログラムメモリ２２が記憶する装置制御プログラムとしては、辞書データベース（ＤＢ）２２Ａ、書籍データベース（ＤＢ）２２Ｂ、マーカデータ２２Ｃ、しおりデータ２２Ｄ、及び各種処理プログラム２２Ｅがある。
【００２４】
辞書データベース２２Ａは、複数種類の辞書コンテンツ２２Ａ１，２２Ａ２，…と、上記各辞書コンテンツ２２Ａ１，２２Ａ２，…の名称を上記タッチパネル式カラー表示部１７で表示するための辞書名情報２２ＡＮとを有する。
【００２５】
辞書コンテンツ２２Ａ１，２２Ａ，…としては、例えば「国語辞典」「英和辞典」「英語類語辞典」「和英辞典」「ミニ国語事典」「ミニ英和事典」「ミニ和英事典」などの種類の異なる複数の辞書データが、予めあるいはダウンロードされて複数記憶される。
【００２６】
この場合、「国語辞典」と「ミニ国語事典」、「英和辞典」と「ミニ英和事典」のように、正規の辞書コンテンツに1体1に対応して、各見出し語に対するテキスト情報を所定語数内に取り纏めたミニ辞書と称する辞書コンテンツとが用意されるものとする。
【００２７】
各辞書コンテンツ２２Ａ１，２２Ａ，…は、それぞれの言語やその他の基準に応じた所定の順番で配列された見出し語Ｗと、各見出し語Ｗに対応付けられた当該見出し語の訳語・意味内容・例文（用例）などを説明するためのテキスト情報Ｔを有する
辞書名情報２２ＡＮは、上記辞書コンテンツ２２Ａ１，２２Ａ，…それぞれと全辞書コンテンツを表す操作ボタン用の簡略表示データであり、例えば「国語」「英和」「英語類語」「和英」「ミニ国語」「ミニ英和」「ミニ和英」など所定の矩形領域に簡略化した文字列を配置した構成をとる。
【００２８】
書籍データベース２２Ｂは、例えば日本語あるいは英語のテキスト情報で構成された書籍コンテンツ２２Ｂ１，２２Ｂ２，…と、上記書籍コンテンツ２２Ｂ１，２２Ｂ２，…の名称を上記タッチパネル式カラー表示部１７で表示するための書籍名情報２２ＢＮとを有する。
【００２９】
マーカデータ２２Ｃは、上記辞書データベース２２Ａ、書籍データベース２２Ｂに記憶されるコンテンツ内での文字列位置とマーカ表示するための色情報等を関連付けて記憶する。
【００３０】
しおりデータ２２Ｄは、上記書籍データベース２２Ｂに記憶される書籍コンテンツを指定する情報と、当該コンテンツ内のしおり位置情報とを関連付けて記憶する。
【００３１】
各種処理プログラム２２Ｅは、上記手書き入力部（サブ画面）１６の透明タッチパネル１６ｔでのタッチ操作により操作信号と上記タッチパネル式カラー表示部（メイン画面）１７の透明タッチパネル１７ｔでのタッチ操作により操作信号との組合せにより、手書き入力部（サブ画面）１６、タッチパネル式カラー表示部（メイン画面）１７での表示内容を制御する情報表示プログラムを含み、この電子辞書装置１０内での動作全般を制御するためのプログラムからなる。
【００３２】
３軸加速度センサ２７は、例えば上記本体ケース１１側に設けられ、互いに直交する３軸方向それぞれの加速度を検知して上記ＣＰＵ２１へ出力する。この３軸加速度センサ２７の出力によりＣＰＵ２１は、重力加速度の方向から本体ケース１１の姿勢を認識可能となる。
【００３３】
開閉スイッチ２８は、電子辞書装置１０を使用するために上記ヒンジ部１３が所定の角度以上で開かれた状態を検出するものであり、その開閉状態を示す信号がＣＰＵ２１へ出力される。ＣＰＵ２１は、この開閉スイッチ２８の出力を上記３軸加速度センサ２７の検知出力と組み合わせて、本体ケース１１と蓋体ケース１２がどのような姿勢でユーザに保持されているか、あるいは机上等に載置されているかを認識可能となる。
【００３４】
音声合成部２９は、システムバスＳＢを介して与えられテクスト情報に基づいてアナログの音声信号を生成し、生成した音声信号により上記スピーカ１５を駆動して拡声出力させる。
【００３５】
次に上記実施形態の動作について説明する。  
図３及び図４は、上記電子辞書装置１０においてＣＰＵ２１が制御を司る、書籍コンテンツの閲覧時に実行される手書き入力部（サブ画面）１６の透明タッチパネル１６ｔとタッチパネル式カラー表示部（メイン画面）１７の透明タッチパネル１７ｔへのタッチ操作に対する処理を示すフローチャートである。  
また図５乃至図１２は、書籍コンテンツの閲覧時に電子辞書装置１０をユーザが両手の一方で保持して上記透明タッチパネル１６ｔ，１７ｔでタッチ操作する過程を簡略化して示す図である。  
図５は、主として日本文学などの縦書きの文章からなる書籍コンテンツを閲覧する場合の電子辞書装置１０の基本的な保持方法を示す。同図（Ｂ）に示すように、本体ケース１１を左手ＬＨで、蓋体ケース１２を右手ＲＨでそれぞれ把持して、電子辞書装置１０全体を横長となるように保持した状態を示す。この把持状態を以後文中では「横持ち」と称する。このとき、左手ＬＨの親指は、手書き入力部（サブ画面）１６の透明タッチパネル１６ｔのどの領域をタッチしても良いが、以下本実施形態では透明タッチパネル１６ｔを例えば図５（Ａ）に示すように３つの領域に分割し、上中下の各操作位置に応じた表示制御を実行するものとする。
【００３６】
これに対して図６は、主として英米文学などの横書きの文章からなる書籍コンテンツを閲覧する場合の電子辞書装置１０の基本的な保持方法を示す。同図（Ｂ）に示すように、本体ケース１１を下側から左手ＬＨで、蓋体ケース１２を右側から右手ＲＨでそれぞれ把持して、電子辞書装置１０全体を縦長となるように保持した状態を示す。この把持状態を以後文中では「縦持ち」と称する。このときも、左手ＬＨの親指は、手書き入力部（サブ画面）１６の透明タッチパネル１６ｔのどの領域をタッチしても良いが、以下本実施形態では透明タッチパネル１６ｔを例えば図６（Ａ）に示すように３つの領域に分割し、左中右の各操作位置に応じた表示制御を実行するものとする。
【００３７】
以下、特に上記図５で説明した横持ちで電子辞書装置１０により書籍コンテンツの閲覧を行なう場合について説明する。図３及び図４の処理では、まずＣＰＵ２１が書籍コンテンツの閲覧機能が選択されているか否かを判断する（ステップＳ１０１）。
【００３８】
ここで書籍コンテンツの閲覧以外の機能が選択されていると判断した場合にＣＰＵ２１は、その選択された機能に即した制御動作を行なうが、本実施形態には直接関連しないものとしてここではその説明を省略する。
【００３９】
また上記ステップＳ１０１で書籍コンテンツの閲覧機能が選択されていると判断した場合にＣＰＵ２１は、次いでプログラムメモリ２２の書籍データベース２２Ｂに記憶している書籍コンテンツの中からの指定を受付ける（ステップＳ１０２）。
【００４０】
この場合、タッチパネル式カラー表示部（メイン画面）１７で書籍データベース２２Ｂに記憶している書籍コンテンツのタイトルの一部を一覧表示し、必要によりキー入力部１４のカーソルキーの操作等により一覧表示するタイトルの範囲を移動させた上で、タッチパネル式カラー表示部（メイン画面）１７上の任意タイトル位置がタッチ操作されるのを受付けることで、書籍コンテンツの選択が実行される。
【００４１】
書籍コンテンツの選択を受付けたＣＰＵ２１は、次いで３軸加速度センサ２７及び開閉スイッチ２８の各出力により本体ケース１１及び蓋体ケース１２の向きを検知する（ステップＳ１０３）。
【００４２】
この検知結果に基づいてＣＰＵ２１は、電子辞書装置１０が上記図６に示したような縦持ち状態であるか否かを判断する（ステップＳ１０４）。
【００４３】
ここで電子辞書装置１０が縦持ち状態であると判断した場合にＣＰＵ２１は、書籍コンテンツの文章を横書きで表示するよう設定する（ステップＳ１０５）。
【００４４】
また上記ステップＳ１０４で電子辞書装置１０が縦持ちではないと判断した場合にＣＰＵ２１は、電子辞書装置１０が縦持ちでは良く上記図５で示したような横持ちの状態であると判断し、書籍コンテンツの文章を縦書きで表示するよう設定する（ステップＳ１０６）。
【００４５】
上記縦書き、または横書きの表示設定の後、ＣＰＵ２１は上記ステップＳ１０２で指定された閲覧対象の書籍コンテンツに対応する過去の閲覧データ、すなわちマーカデータ２２Ｃに記憶されているマーク位置、あるいはしおりデータ２２Ｄに記憶されいるしおり位置のデータが記憶されているか否か判断する（ステップＳ１０７）。
【００４６】
ここで閲覧データがマーカデータ２２Ｃ及びしおりデータ２２Ｄのいずれにも記憶されていない場合、ユーザは選択した書籍コンテンツを初めて閲覧するものと判断し、著者の説明やあらすじの紹介等、必要な処理に移行するが、本実施形態には直接関連しないものとしてここではその説明を省略する。
【００４７】
また、上記ステップＳ１０７で選択された書籍コンテンツの閲覧データがマーカデータ２２Ｃまたはしおりデータ２２Ｄに記憶されていると判断した場合、ＣＰＵ２１はその記憶されていた閲覧データに基づいて、前回ユーザがその書籍コンテンツを閲覧した最終ページまたはユーザが指定したしおり位置の行から書籍コンテンツを表示するよう設定する（ステップＳ１０８）。
【００４８】
その後にＣＰＵ２１は、手書き入力部（サブ画面）１６における透明タッチパネル１６ｔの出力及びタッチパネル式カラー表示部（メイン画面）１７における透明タッチパネル１７ｔの出力を検知し（ステップＳ１０９）、それら検知出力から電子辞書装置１０が把持状態にあるか否かを判断する（ステップＳ１１０）。
【００４９】
ここで透明タッチパネル１６ｔの検知出力及び透明タッチパネル１７ｔの検知出力からこれらがいずれもタッチ操作されておらず、電子辞書装置１０がユーザにより把持されていないと判断した場合にＣＰＵ２１は、電子辞書装置１０の把持状態に応じた処理以外の処理に移行するが、本実施形態には直接関連しないものとしてここではその説明を省略する。
【００５０】
また上記ステップＳ１１０で電子辞書装置１０が把持されていると判断した場合にＣＰＵ２１は、次いで手書き入力部（サブ画面）１６側の透明タッチパネル１６ｔでタッチ操作があったか否か判断する（ステップＳ１１１）。
【００５１】
ここで透明タッチパネル１６ｔでのタッチ操作があったと判断した場合、ＣＰＵ２１は次いでそのタッチ操作された位置が上記図５の横持ち状態での「上」側の領域であるか否かを判断する（ステップＳ１１２）。
【００５２】
透明タッチパネル１６ｔでタッチ操作された位置が横持ち状態での「上」側の領域であると判断した場合、ＣＰＵ２１は次いでタッチパネル式カラー表示部（メイン画面）１７側の透明タッチパネル１７ｔでタッチ操作位置が移動するスライド操作がなされたか否かを判断する（ステップＳ１１３）。
【００５３】
このときタッチ操作位置が移動するスライド操作以外の操作がなされた場合、ＣＰＵ２１はその操作に応じた処理に移行するが、本実施形態には直接関連しないものとしてここではその説明を省略する。
【００５４】
また上記ステップＳ１１３でタッチ操作位置が移動するスライド操作がなされたと判断した場合、ＣＰＵ２１はそのスライド方向に応じてカラー液晶表示画面１７ｄでの表示画面をスクロールさせた上で（ステップＳ１１４）、再び上記ステップＳ１１０からの処理に戻って次の操作に対する処理を待機する。
【００５５】
図７（Ａ）はそのような操作状態を例示するものである。ここでは、図７（Ａ）の（Ａ−１）で示すように手書き入力部（サブ画面）１６の「上」側をユーザが左手ＬＨの親指で操作しており、合わせて（Ａ−２）で示すようにタッチパネル式カラー表示部（メイン画面）１７の透明タッチパネル１７ｔで矢印Ａ１１で示すようにメイン画面１７の右側に移動するように右手ＲＨの親指でスライド操作を行なっている。
【００５６】
したがって、このようにスライド操作の方向に応じて表示画面をスクロールさせることで、あたかも書籍の紙面を指でずらすような自然な操作感で書籍コンテンツの表示位置を移動させることができる。
【００５７】
また、上記ステップＳ１１２で透明タッチパネル１６ｔでタッチ操作された位置が横持ち状態での「上」側の領域ではないと判断した場合、ＣＰＵ２１は次いで透明タッチパネル１６ｔでタッチ操作された位置が横持ち状態での「中」側の領域であるか否かを判断する（ステップＳ１１５）。
【００５８】
透明タッチパネル１６ｔでタッチ操作された位置が横持ち状態での「中」側の領域であると判断した場合、ＣＰＵ２１は次いでタッチパネル式カラー表示部（メイン画面）１７側の透明タッチパネル１７ｔでタッチ操作位置が左右方向に移動するスライド操作がなされたか否かを判断する（ステップＳ１１６）。
【００５９】
このときタッチ操作位置が左右方向に移動するスライド操作がなされたと判断した場合、ＣＰＵ２１はそのスライド方向に応じてカラー液晶表示画面１７ｄでの表示画面をページ単位で更新させた上で（ステップＳ１１７）、再び上記ステップＳ１１０からの処理に戻って次の操作に対する処理を待機する。
【００６０】
図７（Ｂ）はそのような操作状態を例示するものである。ここでは、図７（Ｂ）の（Ｂ−１）で示すように手書き入力部（サブ画面）１６の「中」側をユーザが左手ＬＨの親指で操作しており、合わせて（Ｂ−２）で示すようにタッチパネル式カラー表示部（メイン画面）１７の透明タッチパネル１７ｔで矢印Ａ１２で示すようにメイン画面１７の右側に移動するように右手ＲＨの親指でスライド操作を行なっている。
【００６１】
したがって、このようにスライド操作の方向に応じて表示画面を次ページに更新させることで、あたかも書籍の紙面を指でめくっているような自然な操作感で書籍コンテンツの表示位置をページ単位で更新させることができる。
【００６２】
なお、上記図７と、ステップＳ１１４，Ｓ１７で説明したタッチ操作は、手書き入力部（サブ画面）１６の「上」側をホームポジション、同「中」側をシフトポジションとして、ホームポジションの操作状態でタッチパネル式カラー表示部（メイン画面）１７側でスライド操作を行なった場合にはその操作方向に応じた画面スクロールを、シフトポジションに移動させた操作状態でタッチパネル式カラー表示部（メイン画面）１７側でスライド操作を行なった場合にはページ単位での更新を行なう場合についての動作例を説明したものである。
【００６３】
このように手書き入力部（サブ画面）１６側でのホームポジション、シフトポジションを固定化するのではなく、それまで継続して１領域を操作していた状態から一時的に隣接する領域へ操作位置を移動させた状態をホームポジションからシフトポジションへの移動であるものと判断すれば、特にホームポジションの位置を固定化せずとも、同様の操作環境が実現できる。
【００６４】
また上記ステップＳ１１６において、タッチパネル式カラー表示部（メイン画面）１７側の透明タッチパネル１７ｔでタッチ操作位置が左右方向に移動するスライド操作以外の操作がなされたと判断した場合には、次いでタッチパネル式カラー表示部（メイン画面）１７で表示している文字列中の１点のタッチ操作、または文字列方向に沿ったタッチ操作がなされたか否かを判断する（ステップＳ１２１）。
【００６５】
ここで表示している文字列中の１点のタッチ操作、または文字列方向に沿ったタッチ操作以外の操作がなされたと判断した場合、ＣＰＵ２１はその操作に応じた処理に移行するが、本実施形態には直接関連しないものとしてここではその説明を省略する。
【００６６】
また上記ステップＳ１２１で表示している文字列中の１点のタッチ操作、または文字列方向に沿ったタッチ操作がなされたと判断した場合、ＣＰＵ２１は次いで前回使用された辞書コンテンツがミニ辞書であったか否かを判断する（ステップＳ１２２）。
【００６７】
ここで前回使用された辞書コンテンツがミニ辞書であったと判断した場合、ＣＰＵ２１はタッチ操作された指定文字列に応じて辞書データベース２２Ａに記憶されるミニ辞書を検索し、辞書のテキスト情報Ｔに基づく説明情報をタッチパネル式カラー表示部（メイン画面）１７のカラー液晶表示画面１７ｄでウィンドウとして表示させた後（ステップＳ１２３）、再び上記ステップＳ１１０からの処理に戻って次の操作に対する処理を待機する。
【００６８】
また上記ステップＳ１２２で前回使用された辞書コンテンツがミニ辞書ではなかったと判断した場合、ＣＰＵ２１はタッチ操作された指定文字列に応じて辞書データベース２２Ａに記憶されるミニ辞書ではない通常の辞書コンテンツを検索し、辞書のテキスト情報Ｔに基づく説明情報をタッチパネル式カラー表示部（メイン画面）１７のカラー液晶表示画面１７ｄでウィンドウとして表示させた後（ステップＳ１２４）、再び上記ステップＳ１１０からの処理に戻って次の操作に対する処理を待機する。
【００６９】
図８（Ａ）は、タッチパネル式カラー表示部（メイン画面）１７で表示されている文字列「経済」に沿って右手ＲＨの親指でタッチ操作すると共に、手書き入力部（サブ画面）１６のホームポジションである「上」側の領域からシフトポジションである「中」側の領域に矢印Ａ２１で示すように左手ＬＨの親指に移動させた場合の表示内容を例示する。
【００７０】
ここでは図８（Ａ）の（Ａ−１）で透明タッチパネル１６ｔのシフトポジションである「中」側の領域が操作されており、（Ａ−２）に示すようにカラー液晶表示画面１７ｄにて文字列「経済」から検索したミニ国語辞典による検索結果を辞書ウィンドウＤＷ内で表示している状態を示す。
【００７１】
この操作状態からユーザが、左手ＬＨの親指による手書き入力部（サブ画面）１６側の透明タッチパネル１６ｔでのタッチ操作を一旦解除すると、上記ステップＳ１１０の処理を介してステップＳ１１１でＣＰＵ２１がそれを判断し、ミニ辞書の表示中であるか否かを判断する（ステップＳ１１８）。
【００７２】
ここでミニ辞書の表示中ではないと判断した場合、ＣＰＵ２１は操作に応じた処理に移行するが、本実施形態には直接関連しないものとしてここではその説明を省略する。
【００７３】
また上記ステップＳ１１８でミニ辞書の表示中であると判断した場合、ＣＰＵ２１はそれまでタッチパネル式カラー表示部（メイン画面）１７のカラー液晶表示画面１７ｄで表示させていたミニ辞書の辞書ウィンドウＤＷを消し、代わって手書き入力部（サブ画面）１６のカラー液晶表示画面１６ｄで同一のミニ辞書の内容を表示させる（ステップＳ１１９）。
【００７４】
その後ＣＰＵ２１は、再度手書き入力部（サブ画面）１６が操作されるのを透明タッチパネル１６ｔからの出力に基づいて待機し（ステップＳ１２０）、再度透明タッチパネル１６ｔが操作されたと判断した時点で上記ステップＳ１１０からの処理に戻る。
【００７５】
図８（Ｂ）は、上記図８（Ａ）の状態から手書き入力部（サブ画面）１６側での操作を一旦解除し、カラー液晶表示画面１６ｄで上記辞書ウィンドウＤＷの内容を代わって表示させた状態を例示する。図８（Ｂ）の（Ｂ−１）に示すように、手書き入力部（サブ画面）１６において上記辞書ウィンドウＤＷの内容の一部を表示する。一方のタッチパネル式カラー表示部（メイン画面）１７側では、（Ｂ−２）に示すようにそれまでの辞書ウィンドウＤＷの表示を解除している。
【００７６】
また、上記図８（Ｂ）に示した状態からさらに、手書き入力部（サブ画面）１６の透明タッチパネル１６ｔで「下」側の領域をタッチ操作し、併せて手書き入力部（サブ画面）１６側でも表示している文字列中の１点のタッチ操作、または文字列方向に沿ったタッチ操作を行なったものとする。
【００７７】
この場合、上記ステップＳ１１０〜Ｓ１１２の処理を介した後に上記ステップＳ１１５で手書き入力部（サブ画面）１６の「中」側の領域のタッチ操作でもないと判断し、次いで同「下」側の領域のタッチ操作であるか否かを判断する（ステップＳ１２５）。
【００７８】
ここで「下」側の領域のタッチ操作であると判断したＣＰＵ２１は、同時にタッチパネル式カラー表示部（メイン画面）１７で表示している文字列中の１点のタッチ操作、または文字列方向に沿ったタッチ操作がなされたか否かを判断する（ステップＳ１２６）。
【００７９】
ここで表示している文字列中の１点のタッチ操作、または文字列方向に沿ったタッチ操作以外の操作がなされたと判断した場合、ＣＰＵ２１はその操作に応じた処理に移行するが、本実施形態には直接関連しないものとしてここではその説明を省略する。
【００８０】
また上記ステップＳ１２６で表示している文字列中の１点のタッチ操作、または文字列方向に沿ったタッチ操作がなされたと判断した場合、ＣＰＵ２１はタッチ操作された指定文字列の存在する行に対してしおりを設定し、しおり位置のページと行とを対応する書籍コンテンツのしおりデータとして上記プログラムメモリ２２のしおりデータ２２Ｄに登録し、併せてしおり位置の登録を行なったことをカラー液晶表示画面１７ｄで識別して表示させた後（ステップＳ１２７）、再び上記ステップＳ１１０からの処理に戻って次の操作に対する処理を待機する。
【００８１】
図８（Ｃ）は、上記図８（Ｂ）の状態から手書き入力部（サブ画面）１６側で「下」側の領域を矢印Ａ２２で示すように移動してタッチ操作し、併せてタッチパネル式カラー表示部（メイン画面）１７側でも表示されている文字列「経済」を含む文字列に沿ってタッチ操作した場合を例示する。図８（Ｃ）の（Ｃ−１）に示すように、手書き入力部（サブ画面）１６において「下」側の領域をタッチ操作する。
【００８２】
一方のタッチパネル式カラー表示部（メイン画面）１７側では、（Ｃ−２）に示すようにしおりとして設定する文字列「経済」の位置を右手ＲＨの親指により文字列方向に沿ってスライドさせてタッチ操作しており、指定された文字列「経済」を上記図８（Ａ），（Ｂ）とは異なる状態で識別表示して、しおりとしての登録がなされたことを表現する。
【００８３】
また、手書き入力部（サブ画面）１６とタッチパネル式カラー表示部（メイン画面）１７で指を同時に移動させ、互いに離れるように動かすことで表示の拡大を、互いに近づく方向に動かすことで表示の縮小をそれぞれ指示できるものとする。
【００８４】
このようなタッチ操作を行なった場合、上記ステップＳ１１０〜Ｓ１１２，Ｓ１１５の処理を経て上記ステップＳ１２５で手書き入力部（サブ画面）１６の「下」側の領域のタッチ操作ではないと判断した後、手書き入力部（サブ画面）１６でタッチ位置がスライドするような操作であるか否かを判断する（ステップＳ１２８）。
【００８５】
ここで手書き入力部（サブ画面）１６でのタッチ操作がスライドするようなものではないと判断した場合、ＣＰＵ２１はその操作に応じた処理に移行するが、本実施形態には直接関連しないものとしてここではその説明を省略する。
【００８６】
また上記ステップＳ１２８で手書き入力部（サブ画面）１６でタッチ位置がスライドするような操作であると判断した場合、ＣＰＵ２１は次いで手書き入力部（サブ画面）１６の「中」側の領域を左または右の方向にスライドするような操作であったか否かを判断する（ステップＳ１２９）。
【００８７】
ここで手書き入力部（サブ画面）１６の「中」側の領域を左右方向にスライドするような操作であったと判断すると、次にＣＰＵ２１は、タッチパネル式カラー表示部（メイン画面）１７側でのタッチ操作が、高さ位置で略中央の領域を、手書き入力部（サブ画面）１６側とは逆に右または左の方向にスライドするような操作であったか否かを判断する（ステップＳ１３０）。
【００８８】
このときタッチパネル式カラー表示部（メイン画面）１７側でのタッチ操作がスライドするような操作ではなかった場合、あるいは手書き入力部（サブ画面）１６側と同方向にスライドするような操作であった場合には、その種のタッチ操作は設定しておらず無効であるものとして、特になんらかの表示制御は行なわずに上記再び上記ステップＳ１１０からの処理に戻って次の操作に対する処理を待機する。
【００８９】
また上記ステップＳ１３０でタッチパネル式カラー表示部（メイン画面）１７側でのタッチ操作が手書き入力部（サブ画面）１６側とは反対の方向にスライドするような操作であった場合、ＣＰＵ２１はそのスライド方向、すなわち互いに離れるような動きであるか、互いに近づくような動きであるかによりタッチパネル式カラー表示部（メイン画面）１７での表示画面を拡大または縮小した上で（ステップＳ１３１）、再び上記ステップＳ１１０からの処理に戻って次の操作に対する処理を待機する。
【００９０】
図９（Ａ）は、手書き入力部（サブ画面）１６とタッチパネル式カラー表示部（メイン画面）１７において矢印Ａ３１，Ａ３２で示すように、互いに離れるようなスライド状のタッチ操作を行なった場合を示す。
【００９１】
この場合、（Ａ−１）で示すように手書き入力部（サブ画面）１６では左手ＬＨの親指で「中」側の領域を左側にスライドするように操作するものとする。併せて（Ａ−２）で示すようにタッチパネル式カラー表示部（メイン画面）１７でも、タッチパネル式カラー表示部（メイン画面）１７の略同様の高さ位置で、右手ＲＨの親指で右側にスライドするように操作する。
【００９２】
こうした互いに離れるようなスライド状のタッチ操作により、ＣＰＵ２１はそのスライド幅に応じた拡大率を持って順次タッチパネル式カラー表示部（メイン画面）１７での表示内容を拡大させる。
【００９３】
また図９（Ｂ）は、手書き入力部（サブ画面）１６とタッチパネル式カラー表示部（メイン画面）１７において矢印Ａ３３，Ａ３４で示すように、互いに近づくようなスライド状のタッチ操作を行なった場合を示す。
【００９４】
この場合、（Ｂ−１）で示すように手書き入力部（サブ画面）１６では左手ＬＨの親指で「中」側の領域を右側にスライドするように操作するものとする。併せて（Ｂ−２）で示すようにタッチパネル式カラー表示部（メイン画面）１７でも、タッチパネル式カラー表示部（メイン画面）１７の略同様の高さ位置で、右手ＲＨの親指で左側にスライドするように操作する。
【００９５】
こうした互いに近づくようなスライド状のタッチ操作により、ＣＰＵ２１はそのスライド幅に応じた縮小率を持って順次タッチパネル式カラー表示部（メイン画面）１７での表示内容を縮小させる。
【００９６】
さらに手書き入力部（サブ画面）１６とタッチパネル式カラー表示部（メイン画面）１７で指を同時に移動させ、左右で相反する上下方向に動かすことで表示の回転を指示できるものとする。
【００９７】
このようなタッチ操作を行なった場合、ＣＰＵ２１は上記ステップＳ１１０〜Ｓ１１２，Ｓ１１５，Ｓ１２５の処理を経て上記ステップＳ１２８で手書き入力部（サブ画面）１６でタッチ位置がスライドするような操作であると判断し、さらに上記ステップＳ１２９で手書き入力部（サブ画面）１６の「中」側の領域を左または右の方向にスライドするような操作ではないものと判断する。
【００９８】
この場合にＣＰＵ２１は、次いで手書き入力部（サブ画面）１６を上下いずれかの方向にスライドするような操作であるか否かを判断する（ステップＳ１３２）。
【００９９】
ここで手書き入力部（サブ画面）１６を上か下、いずれかの方向にスライドするような操作でもないと判断した場合、ＣＰＵ２１はその操作に応じた処理に移行するが、本実施形態には直接関連しないものとしてここではその説明を省略する。
【０１００】
また上記ステップＳ１３２で手書き入力部（サブ画面）１６を上下いずれかの方向にスライドするような操作であると判断した場合、次にＣＰＵ２１は、タッチパネル式カラー表示部（メイン画面）１７側でのタッチ操作が、手書き入力部（サブ画面）１６側とは反対に下か上、いずれかの方向にスライドするような操作であったか否かを判断する（ステップＳ１３３）。
【０１０１】
このときタッチパネル式カラー表示部（メイン画面）１７側でのタッチ操作がスライドするような操作ではなかった場合、あるいは手書き入力部（サブ画面）１６側と同方向にスライドするような操作であった場合には、その種のタッチ操作は設定しておらず無効であるものとして、特になんらかの表示制御は行なわずに上記再び上記ステップＳ１１０からの処理に戻って次の操作に対する処理を待機する。
【０１０２】
また上記ステップＳ１３２でタッチパネル式カラー表示部（メイン画面）１７側でのタッチ操作が手書き入力部（サブ画面）１６側とは反対の下または上の方向にスライドするような操作であった場合、ＣＰＵ２１はそれらのスライド方向に応じてタッチパネル式カラー表示部（メイン画面）１７での表示画面を右または左に回転させた上で（ステップＳ１３４）、再び上記ステップＳ１１０からの処理に戻って次の操作に対する処理を待機する。
【０１０３】
図１０（Ａ）は、手書き入力部（サブ画面）１６とタッチパネル式カラー表示部（メイン画面）１７において矢印Ａ４１，Ａ４２で示すように、右側に回転させるようなスライド状のタッチ操作を行なった場合を示す。
【０１０４】
この場合、（Ａ−１）で示すように手書き入力部（サブ画面）１６では左手ＬＨの親指で上側にスライドするように操作するものとする。併せて（Ａ−２）で示すようにタッチパネル式カラー表示部（メイン画面）１７では、手書き入力部（サブ画面）１６とは反対に右手ＲＨの親指で下側にスライドするように操作する。
【０１０５】
こうした互いに異なる上下方向のスライド状のタッチ操作により、ＣＰＵ２１はそのスライド幅に応じた回転角を持って順次タッチパネル式カラー表示部（メイン画面）１７での表示内容を右方向（時計回りの方向）に回転させる。
【０１０６】
また図１０（Ｂ）は、手書き入力部（サブ画面）１６とタッチパネル式カラー表示部（メイン画面）１７において矢印Ａ４３，Ａ４４で示すように、左側に回転させるようなスライド状のタッチ操作を行なった場合を示す。
【０１０７】
この場合、（Ｂ−１）で示すように手書き入力部（サブ画面）１６では左手ＬＨの親指で下側にスライドするように操作するものとする。併せて（Ｂ−２）で示すようにタッチパネル式カラー表示部（メイン画面）１７では、手書き入力部（サブ画面）１６とは反対に右手ＲＨの親指で上側にスライドするように操作する。
【０１０８】
こうした互いに異なる上下方向のスライド状のタッチ操作により、ＣＰＵ２１はそのスライド幅に応じた回転角を持って順次タッチパネル式カラー表示部（メイン画面）１７での表示内容を左方向（反時計回りの方向）に回転させる。
【０１０９】
以上に示した他にも、手書き入力部（サブ画面）１６でのタッチ操作と組み合わせてタッチパネル式カラー表示部（メイン画面）１７でのタッチ操作によりタッチパネル式カラー表示部（メイン画面）１７で表示される内容を制御する設定を種々実現できる。
【０１１０】
例えば、タッチパネル式カラー表示部（メイン画面）１７側で手書きの文字入力を行ないながら、手書き入力部（サブ画面）１６側でのタッチ操作により機能を切換えるような表示制御も実現できる。
【０１１１】
図１１では、図１１（Ｂ）に示すように右側のタッチパネル式カラー表示部（メイン画面）１７に手書き入力ウィンドウＰＷを表示させた上で、右手ＲＨで持ったスタライスペンＳＰにより当該ウィンドウＰＷ内に手書きで文字入力を行ない、一方の手書き入力部（サブ画面）１６では、電子辞書装置１０を把持しながら、図１１（Ａ）において矢印Ａ５１で示すように左手ＬＨの親指で手書き入力部（サブ画面）１６のタッチ位置を矢印Ａ５１に示すように「上」側の領域から「下」側の領域にスライドするように操作している。この手書き入力部（サブ画面）１６側のスライド操作により、手書き文字に対する認識処理を素早く実行させることが可能な設定としている。
【０１１２】
また図１２は、タッチパネル式カラー表示部（メイン画面）１７で表示している書籍コンテンツ中の任意文字列を指定して反転表示させることで、当該文字列のアナログ音声を音声合成部２９にて生成し、スピーカ１５より再生させる状態を例示している。
【０１１３】
このとき、図１２（Ａ）において矢印Ａ６１に示すように「下」側の領域から「上」側の領域へ、あるいは「上」側の領域から「下」側の領域をスライドするようなタッチ操作を左手ＬＨの親指で行なうことで、再生する音声の音量を調整するような設定が考えられる。
【０１１４】
一方で、図１２（Ｂ）において矢印Ａ６２で示すように、タッチパネル式カラー表示部（メイン画面）１７上で左右方向にスライドするようなタッチ操作を右手ＲＨの親指で行なうことで、音声再生の速度を調整するような設定が考えられる。
【０１１５】
なお、上述した各種操作のバリエーションは電子辞書装置１０のユーザが右ききであることを想定して説明したものであり、ユーザが左ききである場合は横持ちで蓋体ケース１２が左側、本体ケース１１が右側となるように初期設定することで、同様の操作環境を実現できる。
【０１１６】
以上詳述した如く本実施形態によれば、少なくとも一方がタッチ操作可能な２つの画面を有する装置の確実な保持を自然に促しながら、合わせてユーザの使い勝手を向上してより直感的で多様な操作方法を実現することが可能となる。
【０１１７】
加えて、特に２つの画面の双方をタッチ操作が可能とすれば、装置の保持を確保しながら操作方法のバリエーションを増してユーザの操作性をより向上できる。
【０１１８】
特に上記実施形態では、図７（Ａ）を用いて説明した如く、例えば手書き入力部（サブ画面）１６側のホームポジションでのタッチ操作と組み合わせてタッチパネル式カラー表示部（メイン画面）１７側で文字列方向と略直交するような方向へのスライド操作により、その方向に応じて画面をスクロールさせるものとした。
【０１１９】
また上記実施形態では、上記図７（Ｂ）を用いて説明した如く、例えば手書き入力部（サブ画面）１６側のホームポジションから移動したシフトポジションでのタッチ操作と組み合わせてタッチパネル式カラー表示部（メイン画面）１７側で文字列方向と略直交するような方向へのスライド操作により、その方向に応じて画面をページ更新させるものとした。
【０１２０】
このように一方のタッチ表示部での操作と組み合わせて他方のスライド操作により、きわめて自然に表示内容を制御可能としたので、２つのタッチ表示部を有する装置での自然な操作環境を提供できる。
【０１２１】
さらに上記実施形態では、上記図８（Ａ），（Ｂ）を用いて説明した如く、タッチパネル式カラー表示部（メイン画面）１７側に表示させた書籍コンテンツ中の任意の文字列を指定した上で、装置を把持している左手ＬＨ側の親指により手書き入力部（サブ画面）１６側のタッチ操作位置を変えることで、当該文字列に対する辞書検索を行なうＢＳが可能としたので、書籍コンテンツの閲覧中に気軽に辞書を引いて語句等を確認することができ、書籍ビューワとしての利便性をより向上できる。
【０１２２】
また上記実施形態では、上記図８（Ｃ）を用いて説明した如く、閲覧中の書籍コンテンツの任意の文字列位置に対し、しおり位置を気軽に登録することができるため、この点でも書籍ビューワとしての利便性をより向上できる。
【０１２３】
なお本発明は、上記実施形態に示したような画面のサイズが異なるメイン画面とサブ画面とを有する装置に限らず、２つの画面の大きさがほぼ同等でその時々によりどちらを左右に配しても使用することが可能な略対称形状の折り畳み式の装置であっても、装置を保持している際の天地の状態を、例えば上記３軸加速度センサ２７と開閉スイッチ２８に類する機構により検知することで、同様に実現可能となる。
【０１２４】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【０１２５】
以下に、本願出願の当所の特許請求の範囲に記載された発明を付記する。  
請求項１記載の発明は、それぞれタッチパネル機能を有する２つの表示部と、上記２つの表示部の一方の把持を検知する第１の把持検知手段と、上記２つの表示部の他方へのタッチ操作を検知する第１のタッチ検知手段と、上記第１の把持検知手段で上記一方の表示部の把持を検知した状態で、上記第１のタッチ検知手段で検知する上記他方の表示部へのタッチ操作に応じた表示機能を実行する表示制御手段とを具備したことを特徴とする。
【０１２６】
請求項２記載の発明は、上記請求項１記載の発明において、上記一方の表示部へのタッチ操作を検知する第２の検知手段をさらに具備し、上記表示制御手段は、上記第１の把持検知手段で上記一方の表示部の把持を検知した状態で、上記第１及び第２のタッチ検知手段で検知する上記２つの表示部へのタッチ操作に応じた表示機能を実行することを特徴とする。
【０１２７】
請求項３記載の発明は、上記請求項２記載の発明において、上記表示制御手段は、上記第２のタッチ検知手段で上記一方の表示部内の予め設定した領域へのタッチ操作を検知し、且つ上記第１のタッチ検知手段により上記他方の表示部で表示中の文字列方向と略直交する方向のタッチ操作を検知した場合に、上記他方の表示部での表示内容を上記第１のタッチ検知手段で検知した方向にスクロールさせることを特徴とする。
【０１２８】
請求項４記載の発明は、上記請求項２記載の発明において、見出しとなる語に対応した文字列を登録した辞書記憶手段をさらに具備し、上記表示制御手段は、上記第２のタッチ検知手段で上記一方の表示部内の予め設定した領域へのタッチ操作を検知し、且つ上記第１のタッチ検知手段により上記他方の表示部で表示中の文字列方向と略直交する方向のタッチ操作を検知した場合に、上記他方の表示部でタッチ操作された位置の表示内容に含まれる語を見出しとして上記辞書記憶手段を検索し、得られた文字列を上記第１及び第２の表示部の一方で表示することを特徴とする。
【０１２９】
請求項５記載の発明は、上記請求項２記載の発明において、上記表示制御手段は、上記第２のタッチ検知手段で上記一方の表示部内の予め設定した領域へのタッチ操作を検知し、且つ上記第１のタッチ検知手段により上記他方の表示部で表示中の文字列方向と略直交する方向のタッチ操作を検知した場合に、上記他方の表示部での表示内容を上記第１のタッチ検知手段で検知した方向に更新させることを特徴とする。
【０１３０】
請求項６記載の発明は、上記請求項２記載の発明において、ドキュメントデータを記憶するドキュメント記憶手段と、上記第２のタッチ検知手段で上記一方の表示部内の予め設定した領域へのタッチ操作を検知し、且つ上記第１のタッチ検知手段により上記他方の表示部で表示中のドキュメントデータ中の任意位置へのタッチ操作を検知した場合に、上記ドキュメントデータ中のタッチ操作された位置に対応する位置情報を記憶する位置記憶手段とをさらに具備したことを特徴とする。
【０１３１】
請求項７記載の発明は、それぞれタッチパネル機能を有する２つの表示部を備えた装置が内蔵するコンピュータが実行するプログラムであって、当該コンピュータを、上記２つの表示部の一方の把持を検知する第１の把持検知手段、上記２つの表示部の他方へのタッチ操作を検知する第１のタッチ検知手段、及び上記第１の把持検知手段で上記一方の表示部の把持を検知した状態で、上記第１のタッチ検知手段で検知する上記他方の表示部へのタッチ操作に応じた表示機能を実行する表示制御手段として機能させることを特徴とする。
【符号の説明】
【０１３２】
１０…電子辞書装置、１１…本体ケース、１２…蓋体ケース、１３…ヒンジ部、１４…キー入力部、１５…スピーカ、１６…手書き入力部（サブ画面）、１６ｄ…カラー液晶表示画面、１６ｔ…透明タッチパネル、１７…タッチパネル式カラー表示部（メイン画面）、１７Ａ…タッチキーエリア、１７Ｂ…表示タッチアイコンエリア、２１…ＣＰＵ、２２…プログラムメモリ、２２Ａ１，２２Ａ２…辞書コンテンツ、２２ＡＮ…辞書名情報、２２Ｂ１，２２Ｂ２…書籍コンテンツ、２２ＢＮ…書籍名情報、２２Ｃ…マーカデータ、２２Ｄ…しおりデータ、２２Ｅ…各種処理プログラム、２３…メモリカード、２４…メモリカードコントローラ、２５…通信制御部、２６…ワークメモリ、２７…３軸加速度センサ、２８…開閉スイッチ、２９…音声合成部、ＤＷ…辞書ウィンドウ、ＬＨ…左手、Ｎ…インターネット、ＲＨ…右手、ＳＢ…システムバス。
【図１】
0005834512.tif 000002
【図２】
0005834512.tif 000003
【図３】
0005834512.tif 000004
【図４】
0005834512.tif 000005
【図５】
0005834512.tif 000006
【図６】
0005834512.tif 000007
【図７】
0005834512.tif 000008
【図８】
0005834512.tif 000009
【図９】
0005834512.tif 000010
【図１０】
0005834512.tif 000011
【図１１】
0005834512.tif 000012
【図１２】
0005834512.tif 000013